【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
画像形成装置本体から搬出された画像形成済みの用紙を中間スタッカ上に積載し、整合手段により整合し、後処理手段により後処理した後、排紙手段により排出して、排紙皿上に載置する排紙経路を有する用紙後処理装置において、
前記排紙経路の排紙をモータの駆動で行ない、この排紙経路の排紙時にモータ駆動の電流値を、用紙のサイズ及び／又は枚数に応じて制御することを特徴とする用紙後処理装置。
【請求項２】
前記モータ駆動の電流値を、用紙のサイズ及び／又は枚数に応じて制御して排紙速度を一定にすることを特徴とする請求項１に記載の用紙後処理装置。
【請求項３】
画像形成装置本体から搬出された画像形成済みの用紙を１枚ずつ搬送して排紙皿上に載置する第１の排紙経路と、画像形成済みの用紙を中間スタッカ上に積載し、整合手段により整合し、後処理手段により後処理した後、排紙手段により排出して、排紙皿上に載置する第２の排紙経路を有し、
前記第１の排紙経路と前記第２の排紙経路の排紙を共通のモータの駆動で行ない、この第２の排紙経路の排紙時に前記モータの電流値を、前記第１の排紙経路の排紙時の電流値より大きくしたことを特徴とする請求項１乃至請求項２に記載の用紙後処理装置。
【請求項４】
前記請求項１乃至請求項３のいずれか１項に記載の用紙後処理装置を備えてなることを特徴とする画像形成装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
この発明は、上記の課題を解決するためになされたものであり、モータの電力消費を軽減して節電が可能な用紙後処理装置及び画像形成装置を提供することを目的とするものである。
【手続補正４】
【補正対象書類名】明細書
【補正対象項目名】００１５
【補正方法】変更
【補正の内容】
【００１５】
請求項３に記載の発明は、『画像形成装置本体から搬出された画像形成済みの用紙を１枚ずつ搬送して排紙皿上に載置する第１の排紙経路と、画像形成済みの用紙を中間スタッカ上に積載し、整合手段により整合し、後処理手段により後処理した後、排紙手段により排出して、排紙皿上に載置する第２の排紙経路を有し、
前記第１の排紙経路と前記第２の排紙経路の排紙を共通のモータの駆動で行ない、この第２の排紙経路の排紙時に前記モータの電流値を、前記第１の排紙経路の排紙時の電流値より大きくしたことを特徴とする請求項１乃至請求項２に記載の用紙後処理装置。』である。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
請求項４に記載の発明は、『前記請求項１乃至請求項３のいずれか１項に記載の用紙後処理装置を備えてなることを特徴とする画像形成装置。』である。
【手続補正２０】
【補正対象書類名】明細書
【補正対象項目名】００３２
【補正方法】変更
【補正の内容】
【００３２】
この請求項４に記載の発明によれば、モータの電力消費を軽減して節電可能であり、また排紙ユニットが軽量かつコンパクトであり、排紙された用紙を確実に、しかも曲がりなく載置することができる。
【手続補正２１】
【補正対象書類名】明細書
【補正対象項目名】００６３
【補正方法】変更
【補正の内容】
【００６３】
１冊分の全ての用紙Ｓの後端部が後端規制手段２６に当接した後、綴じ手段３１により、用紙束に図示しない綴じ針が打ち込まれ、小冊子が形成される。
【手続補正２２】
【補正対象書類名】明細書
【補正対象項目名】００６８
【補正方法】変更
【補正の内容】
【００６８】
また、用紙後処理装置ＦＳには、用紙後処理装置制御部５１が備えられ、用紙後処理装置制御部５１は、カウント部５２を有する。カウント部５２に用紙枚数検出手段Ｓ２から用紙Ｓの枚数情報が送られる。用紙枚数検出手段Ｓ２は、図２及び図３に示すように、綴じ手段３１の入口に配置される。
【手続補正２３】
【補正対象書類名】明細書
【補正対象項目名】００７４
【補正方法】削除
【補正の内容】
【手続補正２４】
【補正対象書類名】明細書
【補正対象項目名】００７５
【補正方法】削除
【補正の内容】
【手続補正２５】
【補正対象書類名】明細書
【補正対象項目名】００７６
【補正方法】削除
【補正の内容】
【手続補正２６】
【補正対象書類名】明細書
【補正対象項目名】００７７
【補正方法】削除
【補正の内容】
【手続補正２７】
【補正対象書類名】明細書
【補正対象項目名】００７８
【補正方法】削除
【補正の内容】
【手続補正２８】
【補正対象書類名】明細書
【補正対象項目名】００７９
【補正方法】削除
【補正の内容】
【手続補正２９】
【補正対象書類名】明細書
【補正対象項目名】００８２
【補正方法】変更
【補正の内容】
【００８２】
【発明の効果】
前記したように、この発明の用紙後処理装置により、モータの電力消費を軽減して節電可能である。
【手続補正３０】
【補正対象書類名】明細書
【補正対象項目名】図面の簡単な説明
【補正方法】変更
【補正の内容】
【図面の簡単な説明】
【図１】
用紙後処理装置と自動原稿送り装置と画像読み取り装置を装備した画像形成装置の全体構成図である。
【図２】
用紙後処理装置の断面図である。
【図３】
用紙後処理装置内の用紙の搬送、排紙過程を示す模式図である。
【図４】
排紙モータの制御ブロック図である。
【手続補正３１】
【補正対象書類名】明細書
【補正対象項目名】符号の説明
【補正方法】変更
【補正の内容】
【符号の説明】
１  画像形成装置
１Ａ  画像形成装置本体
１０  用紙搬送手段
２０  排紙手段
２４  中間スタッカ
２５  整合手段
３０  後処理手段
４１  排紙皿
１００  用紙後処理装置本体
Ｐ１  第１の排紙経路
Ｐ２  第２の排紙経路
Ｍ２  排紙モータ
Ｓ  用紙
【手続補正３２】
【補正対象書類名】図面
【補正対象項目名】図５
【補正方法】削除
【補正の内容】
【手続補正３３】
【補正対象書類名】図面
【補正対象項目名】図６
【補正方法】削除
【補正の内容】
【手続補正３４】
【補正対象書類名】図面
【補正対象項目名】図７
【補正方法】削除
【補正の内容】
【手続補正３５】
【補正対象書類名】図面
【補正対象項目名】図８
【補正方法】削除
【補正の内容】
【手続補正３６】
【補正対象書類名】図面
【補正対象項目名】図９
【補正方法】削除
【補正の内容】